(57)【要約】【課題】  一端側を他端側に挿入するだけで容易に装着することができ、しかもこの挿入を容易に行うことができ、更に、装着中においてはロック状態がみだりに外れたりすることがない装身具である。また、装身具と一体的に設けた止着機構によって装身具と一体感を呈するようにし、更には、容易に製作でき、安価に量産することのできる装身具を提供すること。【解決手段】  装身具用ロープ体１の自由端部の一端に外周面に係合突部６を有する止着部材４を固着し、他端にスプリング８やシリコンゴム等の弾性体１５を収納した止着筒体７を設けている。止着筒体７には挿入側から長さ方向に沿って開口させた挿入溝９の奥部側にアール面１０を形成し、このアール面１０に続けて係止凹部１１を形成した止具付き装身具である。【選択図】          図２
2005058358.tif 000002
【特許請求の範囲】
【請求項１】
装身具用ロープ体の自由端部の一端に外周面に係合突部を有する止着部材を固着し、他端にスプリングやシリコンゴム等の弾性体を収納した止着筒体を設け、この止着筒体の挿入側から長さ方向に沿って開口させた挿入溝の奥部側にアール面を形成し、このアール面に続けて係止凹部を形成し、前記止着部材の係合突部が前記挿入溝に案内されながらアール面にガイドされて前記弾性体の弾発付勢力を介して係合突部が係止凹部に係止され、かつ、止着部材を弾性体の付勢力に抗して押圧したとき、前記アール面にガイドされながら係合突部が挿入溝から抜け出すようにしたことを特徴とする止具付き装身具。
【請求項２】
前記止着部材は、先端を半球面状にしたキャップであり、このキャップをロープ体の一端部に嵌着し、前記止着筒体は、ロープ体の他端部に嵌着した先端を半球面状にしたキャップに筒部材を固着して構成し、この筒部材に圧縮コイルスプリングを収納した請求項１記載の止具付き装身具。
【請求項３】
前記止着筒体に形成したアール面に続けて、このアール面と係止凹部との間に円弧面を形成した請求項１又は２記載の止具付き装身具。
【請求項４】
前記止着筒体に形成した挿入溝を被覆する被覆体で止着筒体を被覆し、この被覆体を装飾体とした請求項１乃至３の何れか１項に記載の止具付き装身具。
【請求項５】
装身具用ロープ体の自由端部の一端に外周面に係合突部を有する止着部材を固着し、他端にスプリングやシリコンゴム等の弾性体を収納した止着筒体を設け、この止着筒体の挿入側から長さ方向に沿って開口させた挿入溝の奥部側にアール面を形成し、このアール面に続けて係止凹部を形成し、前記ロープ体は、可撓性芯材の外周面に薄膜を設け、このロープ体は、ネックレスやチョーカー等の装身具の使用形態に対応した形状に形状記憶され、止着筒体の挿入溝と止着部材の係合突部との対応位置を自動設定可能にしたことを特徴とする止具付き装身具。
【請求項６】
前記ロープ体の芯材をフェライト等の可撓性材料で形成し、この芯材の外周面に樹脂性筒膜からなる薄膜を熱収縮手段を介して被覆すると共に、前記ロープ体を加熱雰囲気中において薄膜に円弧状等の形態を付与させてロープ体に形状を記憶させた請求項５に記載の止具付き装身具。
【発明の詳細な説明】
【技術分野】
【０００１】
本発明は、例えばネックレス、チョーカー、ブレスレット、バングル或はその他の長尺状を呈する装身具の自由端部を着脱自在にするための止具付き装身具に関する。
【背景技術】
【０００２】
従来より、この種の装身具は、チェーン等からなる長尺材を環形状にして首、腕等に装着する装身具として一般的に広く知られている。これらの装身具を装着する際に自由端部を止着する止具としては、ねじ止め方式、掛け止め方式、磁石の吸着方式、及び永久磁石の反発力を利用して接続する方式などがある。
【０００３】
例えば、特許文献１は、永久磁石の反発力を利用して端部を止着した連結部材の止め機構であり、この止め機構は、装身具の連結部材として、めくら孔とめくら孔内に差込む棒状部を夫々設け、このめくら孔の奥並びに棒状部の先端にマグネットを互いに相反発する向きに装着し、更に、どちらか一方に設けた略Ｌ字状の嵌込みガイド縁に沿って折曲した掛止め縁にもう一方に設けた突起を係合することによって端部を互いに連結し、マグネットによって棒状部を差込み方向と逆向きに付勢することによって突起を掛止め縁に係合保持できるようにしている。
この公報に記載されているように、ねじ止め方式や掛け止め方式による止具は、着脱に極めて手間がかかり、また、磁石による吸着方式による止具は、何らかの拍子に簡単に離脱してしまうという問題がある。
【特許文献１】実公平１−２０８９１号公報
【発明の開示】
【発明が解決しようとする課題】
【０００４】
しかしながら、特許文献１のような永久磁石の反発力を利用して接続する方式のように、ガイド縁に設けた掛止め縁に突起を係合することによって端部同士を止着するタイプの装身具は、止着時にめくら孔内に棒状部を挿入した後に突起とめくら孔を軸線を中心にして相対回転させて突起を掛止め縁に係合することによって止着するため、止着に際しては挿入動作と回転動作の２回の操作が必要であった。
また、めくら孔内に棒状部を挿入する際には、嵌込みガイド縁に突起の位置を合わせるようにして連結部材を互いに回転させながら挿入させる必要があり、このめくら孔と棒状部の向きは非常に合わせ難いため、装着しずらいという問題がある。
【０００５】
装着中においては、突起が略Ｌ字状の嵌込みガイド縁の掛止め縁に係止しているが、仮に何らかの拍子で突起に接触し、この突起に対して回転方向の力が加わると突起は掛止め縁から外れ、相反発する磁力によってそのまま嵌込みガイド縁に沿ってスライドし、連結部材同志の止着が外れてしまう場合がある。
また、この突起は、嵌込みガイド縁より円周方向に突出した状態で連結部材同志を係止させているために外部に接触し易くなっていると共に、更には、この突出した突起のために連結部材として体裁が悪く、装身具全体の装飾性を失ってしまうことがあった。
更に、各連結部材にマグネットを設けたり、連結部材同士を別々の形状に設ける必要があるため、コストアップの要因となり、また、この複雑な構造によって故障等の不具合も生じ易いという問題もあった。
【０００６】
本発明は、上記の従来の課題点に鑑みて鋭意研究の結果、発明に至ったもので、その目的とするところは、容易に装着することができ、しかも装着中においてはロック状態がみだりに外れたりすることがない止具付き装身具であり、また、装身具と一体的に設けた止着機構によって装身具と一体感を呈するようにし、更には、容易に製作でき、安価に量産することのできる止具付き装身具を提供することを目的とする。
【課題を解決するための手段】
【０００７】
上記の目的を達成するため、請求項１に係る発明は、装身具用ロープ体の自由端部の一端に外周面に係合突部を有する止着部材を固着し、他端にスプリングやシリコンゴム等の弾性体を収納した止着筒体を設け、この止着筒体の挿入側から長さ方向に沿って開口させた挿入溝の奥部側にアール面を形成し、このアール面に続けて係止凹部を形成し、前記止着部材の係合突部が前記挿入溝に案内されながらアール面にガイドされて前記弾性体の弾発付勢力を介して係合突部が係止凹部に係止され、かつ、止着部材を弾性体の付勢力に抗して押圧したとき、前記アール面にガイドされながら係合突部が挿入溝から抜け出すようにした止具付き装身具である。
【０００８】
請求項２に係る発明は、前記止着部材は、先端を半球面状にしたキャップであり、このキャップをロープ体の一端部に嵌着し、前記止着筒体は、ロープ体の他端部に嵌着した先端を半球面状にしたキャップに筒部材を固着して構成し、この筒部材に圧縮コイルスプリングを収納した止具付き装身具である。
【０００９】
請求項３に係る発明は、前記止着筒体に形成したアール面に続けて、このアール面と係止凹部との間に円弧面を形成した止具付き装身具である。
【００１０】
請求項４に係る発明は、前記止着筒体に形成した挿入溝を被覆する被覆体で止着筒体を被覆し、この被覆体を装飾体とした止具付き装身具である。
【００１１】
請求項５に係る発明は、装身具用ロープ体の自由端部の一端に外周面に係合突部を有する止着部材を固着し、他端にスプリングやシリコンゴム等の弾性体を収納した止着筒体を設け、この止着筒体の挿入側から長さ方向に沿って開口させた挿入溝の奥部側にアール面を形成し、このアール面に続けて係止凹部を形成し、前記ロープ体は、可撓性芯材の外周面に薄膜を設け、このロープ体は、ネックレスやチョーカー等の装身具の使用形態に対応した形状に形状記憶され、止着筒体の挿入溝と止着部材の係合突部との対応位置を自動設定可能にした止具付き装身具である。
【００１２】
請求項６に係る発明は、前記ロープ体の芯材をフェライト等の可撓性材料で形成し、この芯材の外周面に樹脂性筒膜からなる薄膜を熱収縮手段を介して被覆すると共に、前記ロープ体を加熱雰囲気中において薄膜に円弧状等の形態を付与させてロープ体に形状を記憶させた止具付き装身具である。
【発明の効果】
【００１３】
請求項１に係る発明によると、一端側を他端側に挿入するだけで容易に装身具を装着することができる止具付き装身具であり、しかも装着中においてはロック状態がみだりに外れたりすることがないにもかかわらず容易に取外すことができる止具付き装身具である。更に、装身具に一体的に設けるようにすれば一体感を呈することができるため装飾性にも優れており、更には、製造加工が容易で、安価に量産できる止具付き装身具である。
【００１４】
請求項２に係る発明によると、一端側を他端側に容易に挿入することができる止具付き装身具であり、また、低コストで生産することが可能であり生産性にも優れている。
【００１５】
請求項３に係る発明によると、止着時には、確実に端部同士を案内しながらワンタッチで装着することができ、更に、離脱させる際には、簡単な操作によって容易に離脱させることのできる止具付き装身具である。
【００１６】
請求項４に係る発明によると、被覆体自体を金・銀等の貴金属で形成し、更に、外周面に貴石等を装着して飾部として用いることができるので、止具のみならず、ネックレス等の飾体として機能する。
【００１７】
請求項５に係る発明によると、高い装飾性を維持しながら身体に装着したときに装着箇所にフィットして装着性を高めることができ、また、装着時には、止着端部同士の位置合わせを要することなく、身体に装着しようとした状態で端部同士をそのまま止着することによって容易に装着を行うことができ、迅速に装着することが可能となる。
【００１８】
請求項６に係る発明によると、身体の装着箇所に応じて装身具の装着後の形態を安定した状態に維持できるものであり、また、この装身具への形状記憶付与を容易に行うことができると共に、この形状記憶付与加工を安価にて行うことができる。
【発明を実施するための最良の形態】
【００１９】
以下、本発明における止具付き装身具をチョーカーに適用した一例を図面に従って詳細に説明する。
図１において、１３はチョーカーであり、このチョーカー１３における長尺状の装身具用ロープ体１は、図８のように芯材２の外周面に薄膜３を被覆して形成している。芯材２はフェライト等の可撓性材料によって押出成形等の手段で形成されている。薄膜３は形状記憶性を有する樹脂であり、この薄膜３を芯材１の外周面に対して熱収縮手段を介して筒膜状に設けている。ロープ体１への形状記憶形態付与手段としては、ロープ体１を予め円弧状等の所定の形態に曲げておき、この状態で加熱雰囲気中において熱することによって薄膜３を形状記憶させるようにしている。この薄膜３への形状記憶手段は加熱雰囲気以外であってもよく、例えば、温水又は熱水に浸漬させることによって熱を加えるようにしたり、或は、加熱板上に載置して加熱するようにしてもよい。
このようにロープ体１に形状記憶形態を付与することにより、ロープ体１をチョーカー１３や、或は、図９に示すようなネックレス１４などの装身具の使用形態に対応した形状に形態維持することができる。
【００２０】
芯材２は、フェライト粉末に対して結合材として図示しない樹脂材を混合したものを押出成形して長尺状に成形している。この芯材２は、フェライトと同様の性質を有していればよく、他の材料、成形方法であってもよい。また、薄膜３は、適当な色彩を有する可撓性のシリコン樹脂又はアクリル樹脂等を被覆している。
ロープ体１全体は、屈曲可能になるようにフレキシブルな性質を有しており、その断面形状は、図８に示すような断面略円形状に設けているが、これ以外にも、例えば矩形状等に設けることによって異なる装飾性を具備することができ、実施する装身具に装飾性など合わせて任意の形状にすればよい。
【００２１】
図２に示すように、ロープ体１の自由端部の一端には外周面に突状に形成した係合突部６を有する止着部材４を固着している。この止着部材４は先端側を半球面４ａに形成したキャップであり、このキャップ４をロープ体１の一端部に嵌着している。
ロープ体１の他端には、圧縮コイルスプリング８を収納した止着筒体７を設けており、この止着筒体７は、ロープ体１の他端部に嵌着した先端を半球面５ａにしたキャップ５に対して、筒状に設けた筒部材７ａを電着等の手段で固着して一体化するように構成している。
また、スプリング８は、端部８ａにおいて電着等の手段でキャップ５に固着して筒部材７ａ内に収納するようにしている。キャップ４、５を嵌着させる場合には止着筒体７の挿入溝９とキャップ４の係合突部６との対応位置を自動設定可能にしており、前記の形状記憶形態付与によって常にこれらの装着部位の位置を対応させるようにしている。なお、キャップ５と筒部材７ａは、一体に成形してもよい。
【００２２】
このキャップ４とキャップ５を含む止着筒体７は、例えば、金、銀、プラチナ等の貴金属で形成している。また、図１３に示すように、キャップ４、止着筒体７へのロープ体１の嵌着時に、キャップ４側をロックの周方向へ移動した状態で取付けるようにすると、止着時においてロープ体１がこの記憶した状態に戻り、後述するようにロック時に応力によってロック方向にやや回転して確実にロックされる。なお、このキャップ４、５は、ロープ体１先端部位に圧着や接着等の手段によって固着する。
【００２３】
図４及び図６に示すように、止着筒体７には、挿入側から長さ方向に沿って開口させるように形成した挿入溝９の奥部にキャップ４の挿入方向に向けてカーブするアール面１０を形成し、このアール面１０に続けてアール面１０と係止凹部１１との間にキャップ４の抜出し方向に向けてカーブする円弧面１０ａを形成している。
装身具の装着時には、止着部材４を止着筒体７に挿入すると、図７に示すようにキャップ４の係合突部６が挿入溝９に案内されながら挿入され、係合突部６がアール面１０に当接するとアール面１０にガイドされながらスプリング８の弾発付勢力に抗するように摺動する。続いて、係合突部６が円弧面１０ａまで摺動すると、この係合突部６は円弧面１０ａにガイドされながら摺動し、挿入溝９側に戻ることなく係止凹部１１に係止される。この動作によって、キャップ４は止着筒体７に止着される。
【００２４】
また、装身具を外す場合には、止着部材４をスプリング８の付勢力に抗して押圧すると係合突部６が円弧面１０ａにガイドされながらこの円弧面１０ａを摺動し、アール面１０の位置まで達したときにはアール面１０にガイドされながら摺動するため、キャップ４を押圧するだけでスプリング８の弾発付勢力によって係合突部６を挿入溝９から抜け出させることができ、図３のようにキャップ４と止着筒体７の止着を外すことが可能となる。
なお、図９に示すように、長いロープ体１の端部にキャップ４、止着筒体７を設けるようにすれば長尺状のネックレスを設けることもできる。
【００２５】
次に、上述した止具付き装身具の作用を説明する。
上記の構成のように、本発明における止具付き装身具は、止着筒体７の挿入側から長さ方向に沿って開口させた挿入溝９を設け、この挿入溝９の奥部側にはアール面９を形成し、このアール面９に続けて係止凹部１１を形成しているので、キャップ４を止着筒体７に止着する際には、キャップ４を挿入する動作のみでこのキャップ４を容易に止着筒体７に止着することができる。
【００２６】
ロープ体１の芯材２は、フェライト等の可撓性材料で形成され、この芯材２の外周面の樹脂性筒膜である薄膜３に対して熱収縮手段を介して形状記憶形態を付与して装身具の使用形態に対応した形状に形状記憶し、この装身具における止着筒体７の挿入溝９とキャップ４の係合突部６との対応位置を自動設定して常に挿入溝９と係合突部６の位置を合わせるようにしているので位置合わせの必要がなく、止着筒体７とキャップ４を簡単に装着することができる。このため、位置合わせのための目印等を設ける必要もない。
【００２７】
また、止着筒体７に形成したアール面１０に続けて、このアール面１０と係止凹部１１との間に円弧面１０ａを形成し、係合突部６をスプリング８の弾発付勢力を介して係止凹部１１に係止しているので、挿入後には確実に止着することができ、外力等が加わった場合でもこの止着が容易に外れたりすることがない。
【００２８】
キャップ４と止着筒体７の止着を外す場合には、キャップ４をスプリング８の付勢力に抗して押圧すると、係合突部６は円弧面１０ａにガイドされながらこの円弧面１０ａを摺動し、係合突部６がアール面１０の位置まで達するとこのアール面１０にガイドされながら摺動するため、スプリング８の付勢力によって係合突部６を挿入溝９から抜け出させることができ、キャップ４の止着を簡単に外すことができる。係合突部６は、図７に示すように止着筒体７の挿入溝９の肉厚よりも薄く設けることができるため、キャップ４を挿入したときにこの係合突部６が外部に接触して止着が外れたりすることがなく、また、連結部材としての体裁もよく、装飾性にも優れている。
【００２９】
また、キャップ４をロープ体１の一端部に嵌着し、止着筒体７をロープ体１の他端部に嵌着したキャップ４に筒部材７ａを固着して構成し、この筒部材７ａに圧縮コイルスプリング８を収納するようにしているので、製造容易でコストがかからず、構造が単純であるため簡単に故障することもない。
この半球面４ａは、キャップ４の挿入時にガイドとなり、止着筒体７内に容易に挿入させることが可能となる。
【００３０】
なお、本例においては、キャップ４と止着筒体７は、首の後ろ側で止着するタイプの止具であるが、この止具を首の前方側に位置するようにして使用することもできる。この場合、上記構造によって止着可能なキャップと止着筒体を設け、このキャップと止着筒体の止着側でない端部側に丸環等を設けるようにすれば、ロープ体の代わりにこの丸環にチェーン等を通して身体に装着することもできる。
【００３１】
図１０は、本発明の止具付き装身具の更に他例を示す一部拡大斜視図であり、スプリング８の代わりにシリコンゴム或はその他の材質からなる弾性体１５を止着筒体７内に収納したものである。このようにキャップ４を弾発する部材は、スプリング以外のものであってもよい。
【００３２】
図１１において、１７は、止着筒体７と同一材料によって筒状に形成した被覆体であり、この被覆体１７によって止着筒体７の外周を覆うようにしている。被覆体１７は、止着筒体７の外周を覆う際に挿入溝９やアール面１０等の溝を隠すことができるため止具付き装身具としての装飾的価値を増大することができ、例えば、この止着部分をフロント側にした状態で身体に装着したときにもその装飾性を失うことがない。また、挿入溝９やアール面１０等を直接表面側に設けた場合と比較して、塵や毛髪等が入り難くなるというメリットもあり、溝を保護することもできる。
この場合、例えば係合突部６を０．２ｍｍの高さに形成し、筒部材７ａも０．２ｍｍの肉厚に形成するようにすれば、キャップ４の止着時に係合突部６が筒部材７ａの外周側に突出することがなく、筒部材７ａの外周側に嵌着した状態で被覆体１７で覆うことができる。従って、例えば、被覆体１７を０．２ｍｍの肉厚によって形成すれば、この被覆体１７で筒部材７ａを覆ったときに止具のスタイルを保ち、止具が大型になることもなく止具の装飾性を維持しながら挿入溝９等を隠すことができる。
【００３３】
図１２は、図１１の止具付き装身具の端部付近を示した一部切欠き斜視図である。１８は筒部材であり、この筒部材１８にはスリット１８ａを設けている。筒部材１８を被覆体１７に一体化する際には、筒部材１８を縮径する方向に力を加えながら被覆体１７に挿入するようにし、挿入後には復元力によって筒部材１８が拡径して被覆体１７内に固着可能に設けている。従って、ろう付けする必要がなく、作業性が良好であると共に装飾性も高めることができる。このとき被覆体１７を予め真円状に形成すれば、筒部材を挿入したときにこの真円に沿って筒部材１８が拡径して真円度の精度を確保できる。また、筒部材１８は、板状部材を筒状に変形して設けているため、この板状部材に挿入溝９等をプレス成形等の手段によって予め容易に加工可能である。
また、図示しないが、被覆体１７を設ける代わりに挿入溝９やアール面１０等の溝全体を覆うことが可能な適度の強度を有するプレート、或は製造者、製品名等を施した表示板を設けることもでき、これらはろう付け等の手段で容易に筒部材１８に固着することができる。
【００３４】
図１３は、本発明の止具付き装身具の更に他例を示す一部拡大正面図であり、図において、止着筒体７の係合突部６挿入側にアール部１９を設け、このアール部１９から円周方向に傾斜したテーパ縁部２０を設けている。また、図においてキャップ４は、係合突部６の位置の位相が変わるようにこの係合突部６が円周方向にやや移動した位置で取付ける。即ち、係合突部６の位置を図１３の状態において係止凹部１と軸心が一致する位置に設ける。
止着筒体７とキャップ４の止着時には、キャップ４の係合突部６をテーパ縁部２０に当接させると、捩られた状態で係合突部６がアール部１９の位置まで自然に移動し、この状態で止着方向に押圧を加えると係合突部６がアール部１９に沿って移動して挿入溝９内に案内することができる。更に、挿入溝９内に案内された係合突部６は、円弧面１０ａまで進んだときに捩れが戻ることによって軸芯方向においてアール部１９に当接したときと同じ軸芯位置まで自然に移動し、スプリング等によって係止凹部１１に止着することができる。このようにキャップ４の係合突部６をテーパ縁部２０に当接させた状態から押圧するだけで自然に止着させることができ容易に装着することができる。
また、この捩りによって生じる復元力は、キャップ４を挿入溝９に容易に挿入させるばかりでなく、止着後においてもこの止着状態を維持する方向に力が働き続けているため、仮に誤って係合突部６が外部に接触したりしても、簡単に外れたりすることがない。キャップ４に対してロープ体１を捩った状態にするには、薄膜２に形状記憶を付与すればよく、簡単に設けることが可能である。
【産業上の利用可能性】
【００３５】
本発明における止具付き装身具は、チョーカー、ネックレス、ブレスレット、バングル或はその他の長尺状を呈する装身具の自由端部を止める機能を有する装身具に好適であり、更には、上記以外の自由端部同士を止着する構造の装身具などにも応用することができる。
【図面の簡単な説明】
【００３６】
【図１】本発明の止具付き装身具の一例を示す正面図である。
【図２】図１の一部切欠き拡大図である。
【図３】図２の離脱状態を示す一部切欠き参考図である。
【図４】係止部付近を示す拡大図である。
【図５】係止部付近を示す拡大図である。
【図６】係止部付近を示す拡大図である。
【図７】図４におけるＢ−Ｂ線断面図である。
【図８】図２におけるＡ−Ａ線断面図である。
【図９】本発明の止具付き装身具の他例を示す正面図である。
【図１０】本発明の止具付き装身具の更に他例を示す一部拡大斜視図である。
【図１１】本発明の止具付き装身具の更に他例を示す一部切欠き拡大正面図である。
【図１２】図１１の止具付き装身具の端部付近を示した一部切欠き斜視図である。
【図１３】本発明の止具付き装身具の更に他例を示す一部拡大正面図である。
【符号の説明】
【００３７】
１  ロープ体
２  芯材
３  薄膜
４  止着部材（キャップ）
５  キャップ
４ａ、５ａ  半球面
６  係合突部
７  止着筒体
７ａ  筒部材
８  圧縮コイルスプリング
９  挿入溝
１０  アール面
１０ａ  円弧面
１１  係止凹部
１３  チョーカー
１４  ネックレス
１５  弾性体
１７  被覆体
【図１】
2005058358.tif 000003
【図２】
2005058358.tif 000004
【図３】
2005058358.tif 000005
【図４】
2005058358.tif 000006
【図５】
2005058358.tif 000007
【図６】
2005058358.tif 000008
【図７】
2005058358.tif 000009
【図８】
2005058358.tif 000010
【図９】
2005058358.tif 000011
【図１０】
2005058358.tif 000012
【図１１】
2005058358.tif 000013
【図１２】
2005058358.tif 000014
【図１３】
2005058358.tif 000015